【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
高速デバイスと低速デバイスとの間で回転機械エネルギーを伝達する方法であって、
対称型トラクションドライブを得ることであって、
軸トラクション面を有する軸を得ることと、
内側ローラートラクション面および外側ローラートラクション面を有するローラーを得ることと、
前記ローラーの前記外側ローラートラクション面が、前記軸トラクション面と回転可能に嵌合して軸トラクション接触部を生じさせるよう配置されるように、前記ローラーをキャリアに載置することと、
トラクション環のトラクション環トラクション面が、前記ローラーの前記内側ローラートラクション面と嵌合するように、前記ローラーの両側に前記トラクション環を配置することと、
前記トラクション環と前記ローラーとの間で前記回転機械エネルギーを伝達する、前記ローラーと前記トラクション環との間の傾斜トラクション接触部を生じさせ、かつ、前記ローラーの前記外側ローラートラクション面を前記軸トラクション面に対して押し付けて、前記軸トラクション接触部に摩擦を生じさせる前記軸トラクション接触部への圧力を生じさせて、前記軸と前記ローラーとの間で前記回転機械エネルギーを伝達する、前記ローラーの前記内側ローラートラクション面および前記トラクション環の前記トラクション環トラクション面に対する力を生じさせるために、前記トラクション環をともに押し付けることと、
を含む、対称型トラクションドライブを得ることと、
前記高速デバイスを前記軸に連結することと、
少なくとも１つの環状歯車を前記トラクション環に連結することと、
伝達歯車を前記少なくとも１つの環状歯車に連結することと、
前記低速デバイスを前記伝達歯車に連結することと、
を含む、方法。
【請求項２】
前記ローラーを前記キャリアに載置することは、
前記キャリアを結合するポストを有し、前記ポストが、前記キャリアに構造的完全性を提供するとともに、前記ローラーが前記キャリア上に載置される前記キャリアの場所で前記キャリアが撓曲することを可能にすることを含む、請求項１に記載の方法。
【請求項３】
前記トラクション環をともに押し付けることは、
前記トラクション環をともに押し付けるために、外部制御される調整可能なクランピング工程を使用することを含む、請求項１に記載の方法。
【請求項４】
前記トラクション環をともに押し付けることは、
前記トラクション環をともに押し付けるために、自動可変クランピング工程を使用することを含む、請求項１に記載の方法。
【請求項５】
前記トラクション環をともに押し付けることは、
前記トラクション環をともに押し付けるために、実質的に一定の力のクランピング工程を使用することを含む、請求項１に記載の方法。
【請求項６】
前記ローラーを前記キャリアに載置することはさらに、
前記ローラーが、前記キャリアの間で横方向に移動運動することができ、かつ、前記環状歯車上の前記傾斜トラクション面によって発生される前記ローラーの前記内側ローラートラクション面上の力が、前記ローラーの両側で実質的に平衡化されるように、前記キャリアに前記ローラーを載置することを含む、請求項１に記載の方法。
【請求項７】
前記キャリアの中の油管に加圧下でトラクション流体を提供することと、
前記キャリアから前記傾斜トラクション接触部および前記軸トラクション接触部上に、前記トラクション流体を噴霧することと、
をさらに含む、請求項１に記載の方法。
【請求項８】
前記外部制御される調整可能なクランピング工程を使用することは、
ベアリングシートを回転させて、前記トラクション環へのクランピング力を変動させるように前記ベアリングシートの横方向の移動運動を生じさせるために、モーターを使用することを含む、請求項３に記載の方法。
【請求項９】
前記横方向の移動運動は、ねじ付き接触部によって生じる、請求項８に記載の方法。
【請求項１０】
前記移動運動は、ボールランプによって生じる、請求項８に記載の方法。
【請求項１１】
前記自動可変クランピング工程を使用することは、
トルクがボールレースに印加されたときには常に、前記トラクション環の移動運動を発生させる前記ボールレースの傾斜チャネルの中に配置される、複数のボールを使用することを含む、請求項４に記載の方法。
【請求項１２】
前記伝達歯車と前記低速デバイスとの間に伝達装置を連結することをさらに含む、請求項１に記載の方法。
【請求項１３】
前記高速デバイスは、タービン、圧縮機、タービンおよび圧縮機の組み合わせ、ポンプ、ならびに歯科医用ドリルから成る群から選択される、請求項１に記載の方法。
【請求項１４】
前記低速デバイスは、モーター、発電機、油圧ポンプ、およびピストンエンジンから成る群から選択される、請求項１に記載の方法。
【請求項１５】
高速デバイスと低速デバイスとの間で回転機械エネルギーを伝達するためのシステムであって、
対称型トラクションドライブであって、
軸トラクション面を有する軸と、
内側ローラートラクション面および外側ローラートラクション面を有するローラーと、
前記ローラーの前記外側ローラートラクション面が、前記軸トラクション面と回転可能に嵌合するよう配置されるように、前記ローラーを保持するキャリアと、
前記ローラーの前記外側ローラートラクション面が前記軸トラクション面に対して押し付けられて、前記ローラーと前記軸との間で回転機械エネルギーを伝達する軸トラクション接触部を生じさせるように、前記内側ローラートラクション面と嵌合する傾斜環トラクション面を有し、かつ、前記ローラーとトラクション環との間で回転機械エネルギーを伝達する傾斜トラクション接触部を生じさせる前記内側ローラートラクション面に対する力を生じさせる、トラクション環と、
を備える、対称型トラクションドライブと、
前記軸に連結される、高速デバイスと、
前記トラクション環に連結される、少なくとも１つの環状歯車と、
前記少なくとも１つの環状歯車に係合する、伝達歯車と、
前記伝達歯車に連結される、低速デバイスと、
を備える、システム。
【請求項１６】
前記ローラーの前記内側ローラートラクション面はさらに、
前記トラクション環の前記傾斜環トラクション面と嵌合する前記ローラーの２つの対向側部上に内側ローラートラクション面を備え、前記トラクション環は、前記内側ローラートラクション面上に生じる力が、前記ローラー上で実質的に平衡化され、かつ、前記軸トラクション面に対して前記ローラーの前記外側ローラートラクション面を実質的に均等に押し付けるように、前記ローラーの前記２つの対向側部上に配置される、請求項１５に記載のシステム。
【請求項１７】
前記環状歯車上の前記傾斜環トラクション面によって発生される前記ローラーの前記内側ローラートラクション面への力が、前記ローラーの両側で実質的に平衡化されるように、前記ローラーが前記キャリアに対して回転し、かつ、前記キャリアの間で移動することを可能にする、前記キャリアに載置されるベアリングをさらに備える、請求項１６に記載のシステム。
【請求項１８】
加圧下の前記キャリアの油管において加圧される、トラクション流体と、
前記傾斜トラクション接触部および前記軸トラクション接触部に噴霧する、前記キャリアの噴霧穴と、
をさらに備える、請求項１５に記載のシステム。
【請求項１９】
前記キャリアに結合するポストをさらに備え、前記ポストは、前記キャリアに構造的完全性を提供するとともに、前記ローラーが前記キャリア上に載置される前記キャリアの場所で前記キャリアが撓曲することを可能にする、請求項１５に記載のシステム。
【請求項２０】
前記トラクション環をともに押し付ける、外部制御される調整可能なアクチュエータをさらに備える、請求項１５に記載のシステム。
【請求項２１】
前記トラクション環をともに押し付ける、自動可変クランピングアクチュエータをさらに備える、請求項１５に記載のシステム。
【請求項２２】
前記自動可変クランピングアクチュエータは、トルクがボールレースに印加されたときには常に、前記トラクション環の移動運動を発生させる前記ボールレースの傾斜チャネルの中に配置される、複数のボールを備える、請求項２１に記載のシステム。
【請求項２３】
前記伝達歯車と前記低速デバイスとの間に連結される、伝達装置をさらに備える、請求項１５に記載のシステム。
【請求項２４】
前記高速デバイスは、タービン、圧縮機、タービンおよび圧縮機の組み合わせ、ポンプ、ならびに歯科医用ドリルから成る群から選択される、請求項１５に記載のシステム。
【請求項２５】
前記低速デバイスは、モーター、発電機、油圧ポンプ、およびピストンエンジンから成る群から選択される、請求項１５に記載のシステム。
【手続補正２】
【補正対象書類名】明細書
【補正対象項目名】００７４
【補正方法】変更
【補正の内容】
【００７４】
本明細書には、少なくとも以下の概念が開示されている。
概念１：
［１］ トラクションドライブの回転機械エネルギーを伝達する方法であって、
軸トラクション面を有する軸を得ることと、
内側ローラートラクション面および外側ローラートラクション面を有するローラーを得ることと、
前記ローラーの前記外側ローラートラクション面が、前記軸トラクション面と回転可能に嵌合して軸トラクション接触部を生じさせるよう配置されるように、前記ローラーをキャリアに載置することと、
トラクション環のトラクション環トラクション面が、前記ローラーの前記内側ローラートラクション面と嵌合するように、前記ローラーの両側に前記トラクション環を配置することと、
前記トラクション環と前記ローラーとの間で前記回転機械エネルギーを伝達する、前記ローラーと前記トラクション環との間の傾斜トラクション接触部を生じさせ、かつ、前記ローラーの前記外側ローラートラクション面を前記軸トラクション面に対して押し付けて、前記軸トラクション接触部に摩擦を生じさせる前記軸トラクション接触部への圧力を生じさせて、前記軸と前記ローラーとの間で前記回転機械エネルギーを伝達する、前記ローラーの前記内側ローラートラクション面および前記トラクション環の前記トラクション環トラクション面に対する力を生じさせるために、前記トラクション環をともに押し付けることと、
を含む、方法。
概念２：
［２］ 前記ローラーの両側に前記トラクション環を配置する前記工程はさらに、
前記トラクション環の前記トラクション環トラクション面が、約１度〜約２０度の角度で前記ローラーの前記内側ローラートラクション面と嵌合し、前記軸トラクション面に対して前記外側トラクション面を押し付ける際のてこの作用を生じさせるように、前記ローラーの両側に前記トラクション環を配置することを含む、前記［１］に記載の方法。
概念３：
［３］ 前記ローラーを前記キャリアに載置する前記工程はさらに、
前記ローラーが、前記キャリアの間で横方向に移動することができ、かつ、前記環状歯車上の前記傾斜トラクション面によって発生される前記ローラーの前記内側ローラートラクション面上の力が、前記ローラーの両側で実質的に平衡化されるように、前記キャリアに前記ローラーを載置することを含む、前記［１］に記載の方法。
概念４：
［４］ 前記キャリアの中の油管に加圧下でトラクション流体を提供することと、
前記キャリアから前記傾斜トラクション接触部および前記軸トラクション接触部上に、前記トラクション流体を噴霧することと、
をさらに含む、前記［１］に記載の方法。
概念５：
［５］ 前記キャリアから前記傾斜トラクション接触部および前記軸トラクション接触部上に、前記トラクション流体を噴霧する前記工程は、
前記傾斜トラクション接触部および前記軸トラクション接触部にトラクション流体を供給するために、前記キャリアから前記軸トラクション接触部および前記傾斜トラクション接触部の閉鎖側に、前記トラクション流体を噴霧することを含む、前記［４］に記載の方法。
概念６：
［６］ 前記キャリアから前記傾斜トラクション接触部および前記軸トラクション接触部上に、前記トラクション流体を噴霧する前記工程は、
前記傾斜トラクション接触部および前記軸トラクション接触部を冷却するために、前記キャリアから前記軸トラクション接触部および前記傾斜トラクション接触部の開口部側に、前記トラクション流体を噴霧することを含む、前記［５］に記載の方法。
概念７：
［７］ 前記ローラーをキャリアに載置する前記工程は、
前記キャリアを結合するポストを有し、前記ポストが、前記キャリアに構造的完全性を提供するとともに、前記ローラーが前記キャリア上に載置される前記キャリアの場所で前記キャリアが撓曲することを可能にする、キャリアに前記ローラーを載置することを含む、前記［１］に記載の方法。
概念８：
［８］ 前記トラクション環は、環状歯車を備える、前記［１］に記載の方法。
概念９：
［９］ トラクション環は、一組の環状歯車と別である、一対の環を備える、前記［１］に記載の方法。
概念１０：
［１０］ ベアリング上に前記トラクション環を載置することと、
前記トラクション環をともに押し付けるために、載置面上の前記ベアリングの位置を調整する、一式の止めねじを使用することと、
をさらに含む、前記［２］に記載の方法。
概念１１：
［１１］ 前記トラクション環をともに押し付ける前記工程は、
前記トラクション環をともに押し付けるために、外部制御される調整可能なクランピング工程を使用することを含む、前記［１］に記載の方法。
概念１２：
［１２］ 外部制御される調整可能なクランピング工程を使用する前記工程は、
ベアリングシートを回転させて、前記トラクション環へのクランピング力を変動させるように前記ベアリングシートの横方向の移動運動を生じさせるために、モーターを使用することを含む、前記［１１］に記載の方法。
概念１３：
［１３］ 前記モーターを制御するために制御信号を発生させる、コントローラを使用することをさらに含む、前記［１２］に記載の方法。
概念１４：
［１４］ 前記横方向の移動運動は、ねじ付き接触部によって生じる、前記［１３］に記載の方法。
概念１５：
［１５］ 前記移動運動は、ボールランプによって生じる、前記［１３］に記載の方法。
概念１６：
［１６］ 前記移動運動は、ボールスクリューによって生じる、前記［１３］に記載の方法。
概念１７：
［１７］  前記外部制御される調整可能なクランピング工程は、
前記トラクション環に印加される前記力を制御する油圧移動デバイスに対する油圧の印加を制御することを含む、前記［１１］に記載の方法。
概念１８：
［１８］ 前記外部制御される調整可能なクランピング工程は、
前記トラクション環に印加される前記力を制御する空気移動デバイスに対する空気圧の印加を制御することを含む、前記［１１］に記載の方法。
概念１９：
［１９］ 外部制御されるクランピング工程を使用する前記工程は、
トルクが前記トラクション環に印加されたときには常に回転し、移動運動を発生させる、ねじ付き油圧ベーンローターを使用することを含む、前記［１１］に記載の方法。
概念２０：
［２０］ 前記外部制御される調整可能なクランピング工程は、
前記トラクション環に印加される前記力を制御する圧電素子に印加される電圧を制御することを含む、前記［１１］に記載の方法。
概念２１：
［２１］ 前記トラクション環をともに押し付ける前記工程は、
前記トラクション環をともに押し付けるために、実質的に一定の力のクランピング工程を使用することを含む、前記［１］に記載の方法。
概念２２：
［２２］ 実質的に一定の力のクランピング工程を使用する前記工程は、前記トラクション環をともに押し付けるために、ばねを使用することを含む、前記［２１］に記載の方法。
概念２３：
［２３］ 実質的に一定の力のクランピング工程を使用する前記工程は、前記トラクション環をともに押し付けるために、シムを使用することを含む、前記［２１］に記載の方法。
概念２４：
［２４］ 前記トラクション環をともに押し付ける前記工程は、
前記トラクション環をともに押し付けるために、自動可変クランピング工程を使用することを含む、前記［１］に記載の方法。
概念２５：
［２５］ 自動可変クランピング工程を使用する前記工程は、
トルクがボールレースに印加されたときには常に、前記トラクション環の移動運動を発生させる前記ボールレースの傾斜チャネルの中に配置される、複数のボールを使用することを含む、前記［２４］に記載の方法。
概念２６：
［２６］ 軸トラクション面を有する軸と、
内側ローラートラクション面および外側ローラートラクション面を有するローラーと、
前記ローラーの前記外側ローラートラクション面が、前記軸トラクション面と回転可能に嵌合するよう配置されるように、前記ローラーを保持するキャリアと、
前記ローラーの前記外側ローラートラクション面が前記軸トラクション面に対して押し付けられて、前記ローラーと前記軸との間で回転機械エネルギーを伝達する軸トラクション接触部を生じさせるように、前記内側ローラートラクション面と嵌合する傾斜環トラクション面を有し、かつ、前記ローラーとトラクション環との間で回転機械エネルギーを伝達する傾斜トラクション接触部を生じさせる前記内側ローラートラクション面に対する力を生じさせる、トラクション環と、
を備える、トラクションドライブ。
概念２７：
［２７］ 前記ローラーの前記内側ローラートラクション面はさらに、
前記トラクション環の前記傾斜環トラクション面と嵌合する前記ローラーの２つの対向側部上に内側ローラートラクション面を備え、前記トラクション環は、前記内側ローラートラクション面上に生じる力が、前記ローラー上で実質的に平衡化され、かつ、前記軸トラクション面に対して前記ローラーの前記外側ローラートラクション面を実質的に均等に押し付けるように、前記ローラーの前記２つの対向側部上に配置される、前記［２６］に記載のトラクションドライブ。
概念２８：
［２８］  前記環状歯車上の前記傾斜環トラクション面によって発生される前記ローラーの前記内側ローラートラクション面への力が、前記ローラーの両側で実質的に平衡化されるように、前記ローラーが前記キャリアに対して回転し、かつ、前記キャリアの間で移動することを可能にする、前記キャリアに載置されるベアリングをさらに備える、前記［２７］に記載のトラクションドライブ。
概念２９：
［２９］ 前記ローラーの前記内側ローラートラクション面および前記トラクション環の前記傾斜環トラクション面は、前記軸トラクション面に対して前記外側トラクション面を押し付ける、約１度〜約２０度の角度を有する、前記［２８］に記載のトラクションドライブ。
概念３０：
［３０］  加圧下の前記キャリアの油管において加圧される、トラクション流体と、
前記傾斜トラクション接触部および前記軸トラクション接触部に噴霧する、前記キャリアの噴霧穴と、
をさらに備える、前記［２９］に記載のトラクションドライブ。
概念３１：
［３１］  前記キャリアから前記軸トラクション接触部および前記傾斜トラクション接触部の閉鎖部側に前記トラクション流体を噴霧して、前記傾斜トラクション接触部および前記軸トラクション接触部にトラクション流体を供給する、前記キャリアの噴霧穴をさらに備える、前記［３０］に記載のトラクションドライブ。
概念３２：
［３２］  前記キャリアから前記軸トラクション接触部および前記傾斜トラクション接触部の開口部側に前記トラクション流体に噴霧して、前記傾斜トラクション接触部および前記軸トラクション接触部を冷却する、前記キャリアの噴霧穴をさらに備える、前記［３０］に記載のトラクションドライブ。
概念３３：
［３３］ 前記キャリアに結合するポストをさらに備え、前記ポストは、前記キャリアに構造的完全性を提供するとともに、前記ローラーが前記キャリア上に載置される前記キャリアの場所で前記キャリアが撓曲することを可能にする、前記［３１］に記載のトラクションドライブ。
概念３４：
［３４］ 前記トラクション環上に載置される、ベアリングと、
前記トラクション環をともに押し付ける固定面に対する前記ベアリングの位置を調整する、一式の止めねじと、
をさらに備える、前記［３３］に記載のトラクションドライブ。
概念３５：
［３５］ 前記トラクション環は、少なくとも１つの環状歯車の一部分を備える、前記［２６］に記載のトラクションドライブ。
概念３６：
［３６］ 前記トラクション環は、少なくとも１つの環状歯車と別である環を備える、前記［２６］に記載のトラクションドライブ。
概念３７：
［３７］ 前記トラクション環をともに押し付ける、外部制御される調整可能なアクチュエータをさらに備える、前記［２６］に記載のトラクションドライブ。
概念３８：
［３８］ 前記外部制御される調整可能なアクチュエータは、油圧がねじ付き油圧ベーンローターに印加されたときには常に、ねじ付き接触部上で回転して、前記トラクション環の移動運動を生じさせる、ねじ付き油圧ベーンローターを備える、前記［３７］に記載のトラクションドライブ。
概念３９：
［３９］ 前記外部制御される調整可能なアクチュエータは、
ベアリングシートを回転させて移動運動を生じさせる、モーターを備える、前記［３７］に記載のトラクションドライブ。
概念４０：
［４０］ 前記モーターを制御する制御信号を発生させる、コントローラをさらに備える、前記［３９］に記載のトラクションドライブ。
概念４１：
［４１］ 前記ベアリングシートの前記移動運動を発生させる、ねじ付き接触部をさらに備える、前記［４０］に記載のトラクションドライブ。
概念４２：
［４２］ 前記ベアリングシートの前記移動運動を発生させる、ボールランプおよびボールをさらに備える、前記［４０］に記載のトラクションドライブ。
概念４３：
［４３］ 前記ベアリングシートの前記移動運動を発生させる、ボールスクリューおよびボールをさらに備える、前記［４０］に記載のトラクションドライブ。
概念４４：
［４４］ 前記トラクション環に印加される力を制御する、油圧移動アクチュエータをさらに備える、前記［４０］に記載のトラクションドライブ。
概念４５：
［４５］ 前記トラクション環に印加される力を制御する、空気圧移動アクチュエータをさらに備える、前記［４０］に記載のトラクションドライブ。
概念４６：
［４６］ 前記トラクション環に印加される力を制御する、圧電素子をさらに備える、前記［４０］に記載のトラクションドライブ。
概念４７：
［４７］ 前記モーターは、電気モーターを備える、前記［４０］に記載のトラクションドライブ。
概念４８：
［４８］ 前記トラクション環に印加される力を制御する、ワックス要素をさらに備える、前記［２６］に記載のトラクションドライブ。
概念４９：
［４９］ 前記トラクション環をともに押し付ける、実質的に一定の力のアクチュエータをさらに備える、前記［２６］に記載のトラクションドライブ。
概念５０：
［５０］ 前記実質的に一定の力のアクチュエータは、ばねを備える、前記［４９］に記載のトラクションドライブ。
概念５１：
［５１］ 前記実質的に一定の力のアクチュエータは、シムを備える、前記［４９］に記載のトラクションドライブ。
概念５２：
［５２］ 前記トラクション環をともに押し付ける、自動可変クランピングアクチュエータをさらに備える、前記［２６］に記載のトラクションドライブ。
概念５３：
［５３］ 前記自動可変クランピングアクチュエータは、トルクがボールレースに印加されたときには常に、前記トラクション環の移動運動を発生させる前記ボールレースの傾斜チャネルの中に配置される、複数のボールを備える、前記［５２］に記載のトラクションドライブ。
概念５４：
［５４］  高速デバイスと低速デバイスとの間で回転機械エネルギーを伝達する方法であって、
対称型トラクションドライブを得ることであって、
軸トラクション面を有する軸を得ることと、
内側ローラートラクション面および外側ローラートラクション面を有するローラーを得ることと、
前記ローラーの前記外側ローラートラクション面が、前記軸トラクション面と回転可能に嵌合して軸トラクション接触部を生じさせるよう配置されるように、前記ローラーをキャリアに載置することと、
前記トラクション環のトラクション環トラクション面が、前記ローラーの前記内側ローラートラクション面と嵌合するように、前記ローラーの両側にトラクション環を配置することと、
前記トラクション環と前記ローラーとの間で前記回転機械エネルギーを伝達する、前記ローラーと前記トラクション環との間の傾斜トラクション接触部を生じさせ、かつ、前記ローラーの前記外側ローラートラクション面を前記軸トラクション面に対して押し付けて、前記軸トラクション接触部に摩擦を生じさせる前記軸トラクション接触部への圧力を生じさせて、前記軸と前記ローラーとの間で前記回転機械エネルギーを伝達する、前記ローラーの前記内側ローラートラクション面および前記トラクション環の前記トラクション環トラクション面に対する力を生じさせるために、前記トラクション環をともに押し付けることと、
を含む、対称型トラクションドライブを得ることと、
高速デバイスを前記軸に連結することと、
少なくとも１つの環状歯車を前記トラクション環に連結することと、
伝達歯車を前記少なくとも１つの環状歯車に連結することと、
低速デバイスを前記伝達歯車に連結することと、
を含む、方法。
概念５５：
［５５］ 前記伝達歯車と前記低速デバイスとの間に伝達装置を連結することをさらに含む、前記［５４］に記載のトラクションドライブ。
概念５６：
［５６］ 前記高速デバイスは、タービン、圧縮機、タービンおよび圧縮機の組み合わせ、ポンプ、ならびに歯科医用ドリルから成る群から選択される、前記［５５］に記載の方法。
概念５７：
［５７］ 前記低速デバイスは、モーター、発電機、油圧ポンプ、およびピストンエンジンから成る群から選択される、前記［５５］に記載の方法。
概念５８：
［５８］ 前記低速デバイスは、モーター、発電機、油圧ポンプ、およびピストンエンジンから成る群から選択される、前記［５６］に記載の方法。
概念５９：
［５９］ 高速デバイスと低速デバイスとの間で回転機械エネルギーを伝達するためのシステムであって、
対称型トラクションドライブであって、
軸トラクション面を有する軸と、
内側ローラートラクション面および外側ローラートラクション面を有するローラーと、
前記ローラーの前記外側ローラートラクション面が、前記軸トラクション面と回転可能に嵌合するよう配置されるように、前記ローラーを保持するキャリアと、
前記ローラーの前記外側ローラートラクション面が前記軸トラクション面に対して押し付けられて、前記ローラーと前記軸との間で回転機械エネルギーを伝達する軸トラクション接触部を生じさせるように、前記内側ローラートラクション面と嵌合する傾斜環トラクション面を有し、かつ、前記ローラーとトラクション環との間で回転機械エネルギーを伝達する傾斜トラクション接触部を生じさせる前記内側ローラートラクション面に対する力を生じさせる、トラクション環と、
を備える、対称型トラクションドライブと、
前記軸に連結される、高速デバイスと、
前記トラクション環に連結される、少なくとも１つの環状歯車と、
前記少なくとも１つの環状歯車に係合する、伝達歯車と、
前記伝達歯車に連結される、低速デバイスと、
を備える、システム。
概念６０：
［６０］ 前記伝達歯車と前記低速デバイスとの間に連結される、伝達装置をさらに備える、前記［５９］に記載のシステム。
概念６１：
［６１］ 前記高速デバイスは、タービン、圧縮機、タービンおよび圧縮機の組み合わせ、ポンプ、ならびに歯科医用ドリルから成る群から選択される、前記［５９］に記載のシステム。
概念６２：
［６２］ 前記低速デバイスは、モーター、発電機、油圧ポンプ、およびピストンエンジンから成る群から選択される、前記［５９］に記載のシステム。
本発明の前述の説明は、例示および説明のために示したものである。本説明は、網羅的であること、または開示される形態そのものに本発明を限定することを意図しておらず、上述の教示に照らして、他の修正および変更が可能であり得る。実施形態は、本発明の原理およびその実際の適用を最良に説明し、それによって当業者が、企図される特定の使用に適するものとして、種々の実施形態および種々の修正形態で本発明を最良に利用することを可能にするために、選択および説明されたものである。添付の特許請求の範囲は、従来技術によって限定される範囲を除く、本発明の他の代替の実施形態を含むものと解釈されることが意図される。